(57)【特許請求の範囲】
【請求項１】
左右方向に延び、かつ前後に対向する少なくとも一対のベッドを備え、それぞれのベッドは多数の針を持ち、前記対向するベッドの少なくとも一方のベッドが左右にラッキング可能に構成され、前後ベッド間で目移し可能な横編機で前編地部と後編地部が前後に重ねられて編成される筒状編地を少なくとも二つ編成し、これら筒状編地を重ね合わせて接合する編地の接合方法であって、
編地の接合工程において、接合する筒状編地の側端に位置する適宜数のウエールからなる接合領域の最終コースのループともう一方の筒状編地の接合領域の最終コースのループを、前編地部と後編地部の境界から近い側のループ同士および遠い側のループ同士が重なるように重ね合わせて伏目処理して筒状編地の接合部分に襠を形成し、接合した筒状編地に続いて一つの筒状編地を編成することを特徴とする編地の接合方法。
【請求項２】
請求項１に記載の編地の接合方法であって接合工程が以下の工程；
ａ）  第一編地および第二編地を針抜き編成により編成し、編地の接合する過程で第一編地の第二編地側の側端部において、第一方向へラッキングしながら第一ベッド上の第二編地側の側端ループを第二ベッド上の側端ループの外側に、第二編地と反対側の側端部において第二ベッド上の側端ループを第一ベッド上の側端ループの外側に目移しする編成を繰り返し、第一編地を第一方向に回転させて第一編地の全ての接合領域のループを第二ベッドに係止させる工程、
ｂ）  第二編地の第一編地側の側端部において、第一方向へラッキングしながら第二ベッド上の第一編地側の側端ループを第一ベッド上の側端ループの外側に、第一編地と反対側の側端部において第一ベッド上の側端ループを第二ベッド上の側端ループの外側に目移しする編成を繰り返し、第二編地を第一方向に回転させて第二編地の全ての接合領域のループを第一ベッドに係止させる工程、
ｃ）  第一編地の全てのループを第一ベッドに、第二編地の全てのループを第二ベッドに係止させ、第一編地と第二編地の接合領域のループを前後に対向する状態へと第一方向にラッキングした後、第一編地と第二編地の接合領域のループを重ね合わせて伏目処理する工程、
ｄ）  第二方向へラッキングしながら前記第一編地と第二編地を接合した筒状編地の第二ベッド上の側端ループを第一ベッド上の側端ループの外側に目移しするとともに、第一ベッド上の反対側の側端ループを第二ベッド上の側端ループの外側に目移しする編成を行って前記第一方向と逆の第二方向に筒状編地を回転させる工程、
を含むことを特徴とする筒状編地の接合方法。
【請求項３】
請求項１に記載の編地の接合方法であって接合工程が以下の工程；
ａ）  第一編地の前編地部を第二ベッド、第二編地の後編地部を第一ベッドに目移ししする工程、
ｂ）  前後何れか一方のベッドを左右何れかの方向へラッキングしながら、第二編地の前編地部における接合領域のループを第一編地から遠ざかる方向に伏目処理する編成と並行して第一編地の前編地部における接合領域のループを順次第二編地の前編地部における側端ループと重ねる工程、
ｃ）  前後何れか一方のベッドを左右何れかの方向にラッキングしながら、第一編地の後編地部における接合領域のループを第二編地から遠ざかる方向に伏目処理する編成と並行して第二編地の後編地部における接合領域のループを順次第一編地の後編地部における側端ループと重ねる編成を並行して行って第一編地と第二編地を接合する工程、
を含むことを特徴とする筒状編地の接合方法。
【請求項４】
請求項１に記載の編地の接合方法であって接合工程が以下の工程；
ａ）  第一編地を挟んで第二編地と第三編地をそれぞれ編成し、第二編地の前編地部を第一ベッドに、第三編地の後編地部を第二ベッドに目移しする工程、
ｂ）  前後何れか一方のベッドを第一方向へラッキングしながら、第一編地の前編地部における第二編地側の接合領域のループを第二編地から遠ざかる方向に伏目処理する編成と第二編地の前編地部における接合領域のループと第一編地の前編地部における側端ループを重ねる編成を並行して行う編成と、第一編地の後編地部における第三編地側の接合領域のループを第三編地から遠ざかる方向に伏目処理する編成と第三編地の後編地部における接合領域のループと第一編地の後編地部における側端ループを重ねる編成とを並行して行う工程、
ｃ）  第二編地の後編地部を第二ベッドに、第三編地の前編地部を第一ベッドに目移しする工程、
ｄ）  前記ベッドを第二方向へラッキングしながら、第一編地の後編地部における第二編地側の接合領域のループを第二編地から遠ざかる方向に伏目処理する編成と第二編地の後編地部における接合領域のループと第一編地の後編地部における側端ループを重ねる編成を並行して行う編成と、第一編地の前編地部における第三編地側の接合領域のループを第三編地から遠ざかる方向に伏目処理する編成と第三編地の後編地部における接合領域のループと第一編地の前編地部における側端ループを重ねる編成を第一編地の両端部で並行して行う工程、
を含むことを特徴とする筒状編地の接合方法。
【請求項５】
請求項１に記載の編地の接合方法であって接合工程が以下の工程；
ａ）  第一編地の第二編地側の側端部において、第一方向へのラッキングにより第一ベッド上の第二編地側の側端ループを第二ベッド上の側端ループの外側に、第二編地と反対側の側端部において第二ベッド上の側端ループを第一ベッド上の側端ループの外側に目移しする編成を繰り返し、第一編地を第一方向に回転させて第一編地の全ての接合領域のループを第二ベッドに係止させる工程、
ｂ）  第二編地の第一編地側の側端部において、第二方向へのラッキングにより第一ベッド上の第一編地側の側端ループを第二ベッド上の側端ループの外側に、第一編地と反対側の側端部において第二ベッド上の側端ループを第一ベッド上の側端ループの外側に目移しする編成を繰り返し、第二編地を第二方向に回転させて第二編地の全ての接合領域のループを第二ベッドに係止させる工程、
ｃ）  前後何れか一方のベッドを第一方向へラッキングしながら、第一編地の接合領域のループを第二編地から遠ざかる方向に伏目処理する編成と、第二編地の接合領域のループを第一編地の第二針ベッド上の側端ループと重ねる編成を行って第二編地の接合領域と第一編地の接合領域を接合する工程、
ｄ）  前記ベッドを第二方向へラッキングしながら第一編地の第一ベッド上の側端ループを第二ベッド上の側端ループの外側に目移しし、第一編地の第二ベッド上の側端ループを第一ベッド上の側端ループの外側に目移しする編成を繰り返し、
筒状編地を第一方向に回転させる工程、
を含むことを特徴とする筒状編地の接合方法。
【請求項６】
請求項１に記載の編地の接合方法であって接合工程が以下の工程；
ａ）  第一編地を挟んで第二編地と第三編地を編成し、第一編地の第二編地側の側端部において、第一方向へのラッキングにより第二ベッド上の第二編地側の側端ループを第一ベッド上の側端ループの外側に、第三編地側の側端部において第一ベッド上の側端ループを第二ベッド上の側端ループの外側に目移しする編成を繰り返し、第一編地を第一方向に回転させて第一編地の第二編地側の接合領域のループを第一ベッドに、第三編地側の接合領域のループを第二ベッドに係止させる工程、
ｂ）  第二方向へのラッキングにより第二編地の第一編地側の側端部において、第二ベッド上の接合領域のループを第一ベッド上の側端ループの外側に、第一編地と反対側の側端部において、第一ベッド上の側端ループを第二ベッド上の側端ループの外側に目移しする編成を繰り返し、第二編地を第二方向に回転させて第二編地の接合領域のループを第一ベッドに係止させる編成と、第三編地の第一編地側の側端部において、第一ベッド上の接合領域のループを第二ベッドに係止される側端ループの外側に、第一編地と反対側の側端部において、第二ベッド上の側端ループを第一ベッド上の側端ループの外側に目移しする編成を繰り返し、第三編地を第二方向に回転させて第三編地の接合領域のループを第二ベッドに係止させる編成を並行して行う工程、
ｃ）  前後何れか一方のベッドを第一方向へラッキングしながら、第一編地の第二編地側の接合領域のループを第二編地から遠ざかる方向に伏目処理する編成と第二編地の接合領域のループと第一編地の側端ループを重ねる編成を並行して行う編成と、第一編地の第三編地側の接合領域のループを第三編地から遠ざかる方向に伏目処理する編成と第三編地の接合領域のループと第一編地の側端ループを重ねる編成とを並行して行う工程、
ｄ）  前記ベッドを第二方向へラッキングしながら第一、第二、第三編地を接合した筒状編地の第一ベッド上の側端ループを第二ベッド上の側端ループの外側に目移しし、第二ベッド上の側端ループを第一ベッド上の側端ループの外側に目移しする編成を繰り返し筒状編地を第二方向に回転させる工程、
を含むことを特徴とする編地の接合方法。
【請求項７】
請求項３または請求項５の何れかの項に記載の編地の接合方法であって、
前編地部における接合領域の接合と後編地部における接合領域の接合を独立して行うとともに、ループ数の多い側のベッド上の側端ループを反対側のベッド上の側端ループの外側に移動させる回し込み編成を接合編成と並行して行うことを特徴とする編地の接合方法。
【請求項８】
請求項４または請求項６の何れかの項に記載の編地の接合方法であって、
第一編地と第二編地間の接合と第一編地と第三編地間の接合および／または前編地部における接合と後編地部における接合を独立して行うとともに、ループ数の多い側のベッド上の側端ループを反対側のベッド上の側端ループの外側に移動させる回し込み編成を接合編成と並行して行うことを特徴とする編地の接合方法。
【請求項９】
前編地部と後編地部の接合領域のループ数を異ならせたことを特徴とする請求項１乃至請求項６の何れか一つの項に記載の編地の接合方法。
【請求項１０】
左右方向に延び、かつ前後に対向する少なくとも一対のベッドを備え、それぞれのベッドは多数の針を持ち、前記対向するベッドの少なくとも一方のベッドが左右にラッキング可能に構成され、前後ベッド間で目移し可能な横編機で前編地部と後編地部が前後に重ねられて編成される少なくとも二つの筒状編地が接合された編地であって、
接合する筒状編地の側端に位置する適宜数のウエールからなる接合領域の最終コースのループともう一方の筒状編地の接合領域の最終コースのループが、前編地部と後編地部の境界から近い側のループ同士および遠い側のループ同士を重ねて伏目処理した襠が形成され、接合した編地に続いて単一の筒状編地が形成されていることを特徴とする編地。
【請求項１１】
筒状編地がレッグウエアーの右足部と左足部であることを特徴とする請求項１０に記載の編地。
【請求項１２】
筒状編地がセーターの身頃と左右の袖であることを特徴とする請求項１０に記載の編地。
【発明の詳細な説明】
技術分野
本発明は筒状編地の接合箇所に襠を形成する編地の接合方法および接合された編地に関する。
背景技術
ニット製品のパーツ同士の接合箇所に襠と呼ばれる部分が形成される。襠は脇部や股下部等に形成され、襠をこれらの箇所に形成することで、平面的な編地により構成されるニット製品に厚みが形成され、体型に沿った着心地のよい製品となる。
以下、第１５図のセーター１０１に襠１０３ａ，１０３ｂを編機上の編成により形成する方法を説明する。セーター１０１はステップＡで前袖１０４ａ、１０５ａと後袖１０４ｂ、１０５ｂから成る左右の袖１０４，１０５と、前身頃１０６ａと後身頃１０６ｂからなる身頃１０６から構成される。身頃１０６は裾ゴム１０９から、袖１０４，１０５は袖口１１１、１１３から矢印Ｑ方向に編成される。ステップＢではセーター１０１が脇部で袖１０４，１０５と身頃１０６を接合するまでの間、左右の袖１０４，１０５および身頃１０６が独立した筒状の編地として編成される。脇部に向かって左右の袖１０４，１０５および身頃１０６の編幅を広げながら編み進み、左右の袖１０４，１０５と身頃１０６を隣接させる。そして襠１０３ａ，１０３ｂを形成する接合工程を行うステップＣでは、袖１０４，１０５にＵ字状に反転給糸し、袖１０４，１０５を適宜コース編成する毎に袖１０４，１０５を身頃側に移動させる。そして袖１０４，１０５の身頃側の側端ループを身頃１０６のループと重ね、該重ね目に次コースのループを形成し、新たに形成したループを更に内側のループと袖１０４，１０５の次の側端ループと重ねる編成を繰り返して襠１０３ａ，１０３ｂを形成し、袖１０４のＺ−Ｙと身頃１０６のｚ−ｙを接合する。そしてステップＤでは、襠１０３ａ，１０３ｂの形成完了後、左右の袖１０４，１０５および身頃１０６に環状に給糸し、袖１０４，１０５を適宜コース編成する毎に袖１０４，１０５を身頃側に寄せて袖のＹ−Ｘと身頃１０６のｙ−ｘを接合する。続いてステップＥでは袖１０４，１０５の上端部Ｘ−Ｗと身頃のｘ−ｗを接合する部分では、袖１０４，１０５への給糸を停止し、身頃１０６を適宜コース編成する毎に袖１０４，１０５を身頃側に移動させて袖１０４，１０５と身頃１０６を接合する。上記した編成方法により編成されたセーター１０１では、ステップＣで袖１０４，１０５に次コースのループを形成しつつ身頃１０６と接合するため、袖１０４，１０５に領域Ｒが形成され、袖１０４，１０５のＺ−Ｙと身頃のｚ−ｙが接合される。袖１０４と身頃の接合が完了した状態では、セーター１０１の袖１０４，１０５の上限位置を示す第１６図に示すように、袖１０４を身頃６に対し襠１０３ａ，１０３ｂを中心に袖１０４，１０５と身頃１０６間が広がる方向に回転させた場合、袖１０４，１０５が身頃に対し垂直となる状態より高い位置に上げることができない。これにより、着用時の身体の動きが制限され、着心地が悪化する。なお、第１６図においては説明の便宜上、襠１０３ａ，１０３ｂを中心に袖１０４，１０５を回転させた時の上限位置を、袖１０４，１０５と身頃１０６の接合状態と無関係に示す。
本発明は、接合されて襠が形成される一方の筒状編地が他方の編地に対し垂直となる状態よりも両編地間の間隔が広がる方向に回転させることのできる編地の接合方法、および一方の筒状編地が他方の編地に対し垂直となる状態よりも両編地間の間隔が広がる方向に大きな角度まで回転可能に接合された編地を開示することを課題とする。また、身体の動きの自由度が高いニットウェアーを開示することも課題の一つである。
発明の開示
上記した課題を解決するため本発明の編地の接合方法は、左右方向に延び、かつ前後に対向する少なくとも一対のベッドを備え、それぞれのベッドは多数の針を持ち、前記対向するベッドの少なくとも一方のベッドが左右にラッキング可能に構成され、前後ベッド間で目移し可能な横編機で前編地部と後編地部が前後に重ねられて編成される筒状編地を少なくとも二つ編成し、これら筒状編地を重ね合わせて接合する編地の接合方法であって、編地の接合工程において、接合する筒状編地の側端に位置する適宜数のウエールからなる接合領域の最終コースのループともう一方の筒状編地の接合領域の最終コースのループを、前編地部と後編地部の境界から近い側のループ同士および遠い側のループ同士が重なるように重ね合わせて伏目処理して筒状編地の接合部分に襠を形成し、接合した筒状編地に続いて一つの筒状編地を編成することを特徴とする。
また本発明の編地の接合方法は、接合工程が以下の工程；
ａ）  第一編地および第二編地を針抜き編成により編成し、編地の接合する過程で第一編地の第二編地側の側端部において、第一方向へラッキングしながら第一ベッド上の第二編地側の側端ループを第二ベッド上の側端ループの外側に、第二編地と反対側の側端部において第二ベッド上の側端ループを第一ベッド上の側端ループの外側に目移しする編成を繰り返し、第一編地を第一方向に回転させて第一編地の全ての接合領域のループを第二ベッドに係止させる工程、
ｂ）  第二編地の第一編地側の側端部において、第一方向へラッキングしながら第二ベッド上の第一編地側の側端ループを第一ベッド上の側端ループの外側に、第一編地と反対側の側端部において第一ベッド上の側端ループを第二ベッド上の側端ループの外側に目移しする編成を繰り返し、第二編地を第一方向に回転させて第二編地の全ての接合領域のループを第一ベッドに係止させる工程、
ｃ）  第一編地の全てのループを第一ベッドに、第二編地の全てのループを第二ベッドに係止させ、第一編地と第二編地の接合領域のループを前後に対向する状態へと第一方向にラッキングした後、第一編地と第二編地の接合領域のループを重ね合わせて伏目処理する工程、
ｄ）  第二方向へラッキングしながら前記第一編地と第二編地を接合した筒状編地の第二ベッド上の側端ループを第一ベッド上の側端ループの外側に目移しするとともに、第一ベッド上の反対側の側端ループを第二ベッド上の側端ループの外側に目移しする編成を行って前記第一方向と逆の第二方向に筒状編地を回転させる工程、
を含むことも特徴の一つである。
また本発明の編地の接合方法は、接合工程が以下の工程；
ａ）  第一編地の前編地部を第二ベッド、第二編地の後編地部を第一ベッドに目移ししする工程、
ｂ）  前後何れか一方のベッドを左右何れかの方向へラッキングしながら、第二編地の前編地部における接合領域のループを第一編地から遠ざかる方向に伏目処理する編成と並行して第一編地の前編地部における接合領域のループを順次第二編地の前編地部における側端ループと重ねる工程、
ｃ）  前後何れか一方のベッドを左右何れかの方向にラッキングしながら、第一編地の後編地部における接合領域のループを第二編地から遠ざかる方向に伏目処理する編成と並行して第二編地の後編地部における接合領域のループを順次第一編地の後編地部における側端ループと重ねる編成を並行して行って第一編地と第二編地を接合する工程、
また本発明の編地の接合方法は、接合工程が以下の工程；
ａ）  第一編地を挟んで第二編地と第三編地をそれぞれ編成し、第二編地の前編地部を第一ベッドに、第三編地の後編地部を第二ベッドに目移しする工程、
ｂ）  前後何れか一方のベッドを第一方向へラッキングしながら、第一編地の前編地部における第二編地側の接合領域のループを第二編地から遠ざかる方向に伏目処理する編成と第二編地の前編地部における接合領域のループと第一編地の前編地部における側端ループを重ねる編成を並行して行う編成と、第一編地の後編地部における第三編地側の接合領域のループを第三編地から遠ざかる方向に伏目処理する編成と第三編地の後編地部における接合領域のループと第一編地の後編地部における側端ループを重ねる編成とを並行して行う工程、
ｃ）  第二編地の後編地部を第二ベッドに、第三編地の前編地部を第一ベッドに目移しする工程、
ｄ）  前記ベッドを第二方向へラッキングしながら、第一編地の後編地部における第二編地側の接合領域のループを第二編地から遠ざかる方向に伏目処理する編成と第二編地の後編地部における接合領域のループと第一編地の後編地部における側端ループを重ねる編成を並行して行う編成と、第一編地の前編地部における第三編地側の接合領域のループを第三編地から遠ざかる方向に伏目処理する編成と第三編地の後編地部における接合領域のループと第一編地の前編地部における側端ループを重ねる編成を第一編地の両端部で並行して行う工程、
を含むことも特徴の一つである。
また本発明の編地の接合方法は、接合工程が以下の工程；
ａ）  第一編地の第二編地側の側端部において、第一方向へのラッキングにより第一ベッド上の第二編地側の側端ループを第二ベッド上の側端ループの外側に、第二編地と反対側の側端部において第二ベッド上の側端ループを第一ベッド上の側端ループの外側に目移しする編成を繰り返し、第一編地を第一方向に回転させて第一編地の全ての接合領域のループを第二ベッドに係止させる工程、
ｂ）  第二編地の第一編地側の側端部において、第二方向へのラッキングにより第一ベッド上の第一編地側の側端ループを第二ベッド上の側端ループの外側に、第一編地と反対側の側端部において第二ベッド上の側端ループを第一ベッド上の側端ループの外側に目移しする編成を繰り返し、第二編地を第二方向に回転させて第二編地の全ての接合領域のループを第二ベッドに係止させる工程、
ｃ）  前後何れか一方のベッドを第一方向へラッキングしながら、第一編地の接合領域のループを第二編地から遠ざかる方向に伏目処理する編成と、第二編地の接合領域のループを第一編地の第二針ベッド上の側端ループと重ねる編成を行って第二編地の接合領域と第一編地の接合領域を接合する工程、
ｄ）  前記ベッドを第二方向へラッキングしながら第一編地の第一ベッド上の側端ループを第二ベッド上の側端ループの外側に目移しし、第一編地の第二ベッド上の側端ループを第一ベッド上の側端ループの外側に目移しする編成を繰り返し、
筒状編地を第一方向に回転させる工程、
を含むことも特徴の一つである。
また本発明の編地の接合方法は、接合工程が以下の工程；
ａ）  第一編地を挟んで第二編地と第三編地を編成し、第一編地の第二編地側の側端部において、第一方向へのラッキングにより第二ベッド上の第二編地側の側端ループを第一ベッド上の側端ループの外側に、第三編地側の側端部において第一ベッド上の側端ループを第二ベッド上の側端ループの外側に目移しする編成を繰り返し、第一編地を第一方向に回転させて第一編地の第二編地側の接合領域のループを第一ベッドに、第三編地側の接合領域のループを第二ベッドに係止させる工程、
ｂ）  第二方向へのラッキングにより第二編地の第一編地側の側端部において、第二ベッド上の接合領域のループを第一ベッド上の側端ループの外側に、第一編地と反対側の側端部において、第一ベッド上の側端ループを第二ベッド上の側端ループの外側に目移しする編成を繰り返し、第二編地を第二方向に回転させて第二編地の接合領域のループを第一ベッドに係止させる編成と、第三編地の第一編地側の側端部において、第一ベッド上の接合領域のループを第二ベッドに係止される側端ループの外側に、第一編地と反対側の側端部において、第二ベッド上の側端ループを第一ベッド上の側端ループの外側に目移しする編成を繰り返し、第三編地を第二方向に回転させて第三編地の接合領域のループを第二ベッドに係止させる編成を並行して行う工程、
ｃ）  前後何れか一方のベッドを第一方向へラッキングしながら、第一編地の第二編地側の接合領域のループを第二編地から遠ざかる方向に伏目処理する編成と第二編地の接合領域のループと第一編地の側端ループを重ねる編成を並行して行う編成と、第一編地の第三編地側の接合領域のループを第三編地から遠ざかる方向に伏目処理する編成と第三編地の接合領域のループと第一編地の側端ループを重ねる編成とを並行して行う工程、
ｄ）  前記ベッドを第二方向へラッキングしながら第一、第二、第三編地を接合した筒状編地の第一ベッド上の側端ループを第二ベッド上の側端ループの外側に目移しし、第二ベッド上の側端ループを第一ベッド上の側端ループの外側に目移しする編成を繰り返し筒状編地を第二方向に回転させる工程、
を含むこともを特徴の一つである。
また本発明の編地の接合方法は、前編地部の接合領域の接合と後編地部の接合領域の接合を独立して行うとともに、ループ数の多い側のベッド上の側端ループを反対側のベッド上の側端ループの外側に移動させる回し込み編成を接合編成と並行して行うことも特徴の一つである。
また本発明の編地の接合方法は、第一編地と第二編地の接合と第一編地と第三編地の接合および／または前編地部における接合と後編地部における接合を独立して行うとともに、ループ数の多い側のベッド上の側端ループを反対側のベッド上の側端ループの外側に移動させる回し込み編成を接合編成と並行して行うことも特徴の一つである。
また本発明の編地の接合方法は、前編地部と後編地部の接合領域のループ数を異ならせたことも特徴の一つである。
また本発明の接合された編地は、左右方向に延び、かつ前後に対向する少なくとも一対のベッドを備え、それぞれのベッドは多数の針を持ち、前記対向するベッドの少なくとも一方のベッドが左右にラッキング可能に構成され、前後ベッド間で目移し可能な横編機で前編地部と後編地部が前後に重ねられて編成される少なくとも二つの筒状編地が接合された編地であって、接合する筒状編地の側端に位置する適宜数のウエールからなる接合領域の最終コースのループともう一方の筒状編地の接合領域の最終コースのループが、前編地部と後編地部の境界から近い側のループ同士および遠い側のループ同士を重ねて伏目処理した襠が形成され、接合した編地に続いて単一の筒状編地が形成されていることを特徴とする。
また本発明の接合された編地は、筒状編地がレッグウエアーの右足部と左足部であることも特徴の一つである。
また本発明の接合された編地は、筒状編地がセーターの身頃と左右の袖であることも特徴の一つである。
本発明の作用を説明する。
本発明では少なくとも二つの筒状編地を編成し、これら筒状編地を編地の接合工程において、接合する筒状編地の側端に位置する適宜数のウエールからなる接合領域の最終コースのループともう一方の筒状編地の接合領域の最終コースのループを、前編地部と後編地部の境界から近い側のループ同士および遠い側のループ同士が重なるように重ね合わせ伏目処理して接合する。
上記したように筒状編地を接合する一つの方法として、針抜き編成された筒状編地を、後述する回し込み編成により同じ方向に回転させ、一方の筒状編地の前編地部および後編地部の両方の接合領域のループを前ベッドに、他方の筒状編地のループを後ベッドに係止させ、両編地の接合領域のループを一度に重ね伏目処理する。この接合方法では前編地部の接合領域の接合と後編地部の接合領域の接合を一連に行う。
また、もう一つの方法では、接合される側の編地を一方の側端側から他端側に向かい伏目処理する編成と、もう一方の筒状編地の接合領域のループを側端のループから前編地部同士、後編地部同士が重なるように接合領域のループを重ねる編成を並行して行う。この接合方法では接合領域のループ同士を重ねる編成と、伏目処理する編成を並行して行い、前編地部の接合領域の接合と、後編地部の接合領域の接合を独立して行う。
また、もう一つの接合方法では、接合する筒状編地を回し込み編成により反対方向に回転させ、双方の筒状編地の接合領域のループを同じ針ベッド上に係止させた後、接合される側の編地を一方の側端側から他端側に向かい伏目処理する編成と、もう一方の筒状編地の接合領域のループを側端のループから前編地部同士、後編地部同士が重なるように接合領域のループを重ねて接合する。この接合方法では、接合領域のループ同士を重ねる編成と、伏目処理する編成を並行して行い、前編地部の接合領域の接合と、後編地部の接合領域の接合を一連に行う。
接合編成を前編地部と身頃部の接合と、後編地部と身頃部の接合を順番に行う場合や三つ以上の筒状編地を接合する際に各編地間の接合を独立して行うことでベッド上に係止されるループ数に差が発生する場合には、回し込み編成によりループの多い側のベッド上の側端ループを反対側のベッド上の側端ループの外側に移動させ、双方のベッド上に係止されるループ数の差が拡大するのを防止しつつ接合編成を行う。
発明を実施するための最良の形態
次に本発明の好適な実施例を図面とともに詳細に説明する。以下の実施例では上面に夫々多数の編針を列設した前ベッドと後ベッドを前後に対峙し、後ベッドが左右ラッキング可能で、前後ベッド間で目移し可能な二枚ベッド横編機を用いた実施例を説明する。また別の実施例では下部前ベッドと下部後ベッド上に下部ベッドと同ピッチで多数の編針が列設された上部前ベッドと上部後ベッドを備え、前後下部ベッド間および対向する下部ベッドと上部ベッド間で目移しが可能な四枚ベッド横編機を用いた実施例を説明する。いずれの実施例も後ベッドが前ベッドに対し相対的にラッキング可能な横編機を使用するものとする。
第１図は本実施例の編地の接合方法により脇部２ａ，２ｂに襠３ａ，３ｂが形成されたセーター１の展開図および編成工程図であり、第２図はセーター１の完成図である。襠３ａ，３ｂ付近には袖４，５と身頃６のウエール方向を示す。ステップＡでセーター１は身頃６の裾ゴム７および左右両袖４，５の袖口８，９から編成が開始され、ステップＢでは、脇部２ａ，２ｂで袖４，５と身頃６の接合を開始するまでの間、独立した筒状の編地として編成される。ステップＣでは袖４，５が線Ｉ−ＯおよびＭ−Ｐまでの編成が完了すると接合工程で右袖４のＩ−Ｈと身頃６のｉ−ｈを、左袖５のＭ−Ｌと身頃６のｍ−ｌを接合し、襠３ａ，３ｂを形成する。続いてステップＤでは左右の袖４，５と身頃６を一つの筒状の編地として編成しながら、袖４，５を身頃６側に移動させ、右袖４のＧ−Ｈと身頃６のｇ−ｈを、左袖５のＬ−Ｋと身頃６のｌ−ｋを接合する。右袖４のＦ−Ｇおよび左袖５のＪ−Ｋを身頃６のｆ−ｇおよびｊ−ｋと接合するステップＥでは、袖４，５に対する給糸を終了し、身頃６を適宜コース編成する毎に袖４，５を身頃６側に移動させて袖４，５と身頃６を接合する。袖４，５と身頃６の接合完了後、衿首用開口１０を形成した前身頃６ａと後身頃６ｂを左右の肩部１１ａ，１１ｂで接合しセーター１が完成する。以下接合工程で袖４，５と身頃６を接合して襠３ａ，３ｂを形成する三つの異なる方法を実施例１〜３として説明するが、接合工程以外の編成は公知であるため、接合工程における編成のみを示す。
＜第一実施例＞
第一実施例を第３図を使用して説明する。第一実施例は針抜き編成された筒状編地を、後述する回し込み編成により同じ方向に回転させ、一方の筒状編地の前編地部および後編地部の両方の接合領域のループを前ベッドに、他方の筒状編地のループを後ベッドに係止させ、両編地の接合領域のループを一度に重ね伏目処理する方法である。第一実施例では前編地部の接合領域の接合と後編地部の接合領域の接合を一連に行う。第一実施例では二枚ベッド横編機を使用し、前身頃６ａ、右前袖４ａ、左前袖５ａからなる前編地部編成用の針と、後身頃６ｂ、右後袖４ｂ、左後袖５ｂからなる後編地形成用の針を交互に配置し、前編地部または後編地部の形成に１本置きの針を使用する針抜き編成を行う。針抜き編成では前編地部を編成する際に後編地部を後ベッドに係止（付属）させ、後編地部を編成する際に前編地部を前ベッドに付属させて各編地を前後に重ね合わせて編成する。針抜き編成の詳細に関しては日本特許公告平３−７５６５６号公報等に開示されており、これ以上の説明を省略する。針抜き編成を行うことで、各編地は対向するベッド上に目移し用の空針を常に確保でき、この空針を使用することでリンクス、ガーター、リブなどの表目と裏目が混在する編組織の編成や、袖や身頃のループを横方向に移動させて互いに接合することが可能となる。
第一実施例の接合方法では、パンツやタイツなど二つの筒状編地が接合されてなるレッグウエアーや、セーター等三つの筒状編地が接合されてなるニットアイテムを編成できる。以下、三つの筒状編地を接合して第１図のセーター１を形成する場合を説明する。
第３図のステップ０は身頃６が線ｉ−ｍ、右袖４が線Ｏ−Ｉ、左袖５がＰ−Ｍまで編成が完了した状態を示す。前編地部が太線で、後編地部が細線で示され、前身頃６ａ、前袖４ａ、左前袖５ａからなる前編地部と、後身頃６ｂ、右後袖４ｂ、左後袖５ｂからなる後編地部が前後のベッド上に分かれて係止される。なお、第３図に付したアルファベットは第１図のセーターの各ポイントに付したアルファベットに対応し、後編地部上のポイントには（Ｂ）を付す。
襠３ａ，３ｂを形成するステップＣの接合工程では、第３図のステップ０からステップ１において後ベッドを左にラッキングした後、前身頃６ａ、前袖４ａ、左前袖５ａの右側側端ループを後ベッドの後編地部の側端ループの外側の空針に目移しする。同様に後身頃６ｂ、右後袖４ｂ、左後袖５ｂからなる後編地部の左側側端ループを前ベッドの前編地部の側端ループの外側の空針に目移しする。続いて、後ベッドを更に左に適宜ピッチラッキングする毎に前編地部の右側側端ループを後ベッドに、後編地部の左側側端ループを前ベッドに目移し、身頃６および左右の袖４、５をそれぞれ反時計回り方向に回転させる。これにより左袖５の接合領域のループを全て前ベッドに、右袖４の接合領域のループを後ベッドに、身頃６の左袖側の接合領域のループを後ベッドに、右袖側の接合領域のループを前ベッドに係止させる回し込み編成を行う。回し込み編成とは筒状編地の一端側で一方のベッドに係止されている側端ループを反対側のベッドに係止されている側端ループの外側に移して編地を時計回り方向又は反時計回り方向に回転させる編成である。左袖５で行われる編成を示す第４図を使用して回し込み編成について説明する。第４図のコース０は第３図のステップ０の状態を示し、左前袖５ａが前ベッドの一本置きの針に、左後袖５ｂが左前袖５ａと針１本分位相が異なった状態で後ベッドの１本置きの針に係止される。左前袖５ａの左側の２ウエールのループ１３，１４と、左後袖５ｂの左側の２ウエールのループ１５，１６が接合領域のループである。この状態からコース１では後ベッドを３ピッチ左にラッキングし、コース２で左後袖５ｂの左端のループ１５を前ベッドに、左前袖５ａの右端のループ１７を後ベッドに目移しする。続いて、コース３では後ベッドを更に左に４ピッチラッキングした後、コース４で後ベッドに係止されている左端のループ１６を前ベッドに、前ベッドに係止されている右端のループ１８を後ベッドに目移しコース５の状態とする。コース５が第３のステップ１の左袖５を示し、ステップ０から左袖５が反時計回り方向に回転し、接合領域のループ１３〜１６が前ベッドの針に係止された状態となる。
次に、第３図のステップ２では左前袖５ａのループを全て後ベッドの空針に、後身頃６ｂのループを前ベッドの空針に、後ベッドに係止されている右後袖４ｂのループを全て前ベッドの空針に移し、左袖５を後ベッドに、右袖４と身頃６を前ベッドに係止させる。そして後ベッドを左袖５が身頃６に接近する左方向にラッキングし、左前袖５ａの接合領域と身頃６の左袖側の接合領域を対向させた後、両接合領域のループを重ね合わせて重ね目とする。ステップ３では、前記重ね目の一端側から他端側に向かい、重ね目を保持している針に給糸して次コースのループを形成し、該新たに形成したループを隣の重ね目と重ねて三重ループを形成し、該三重ループに給糸して次コースのループを形成する。更にその隣の重ね目に重ねる編成を繰り返す伏目処理と呼ばれる編成を行い接合領域のループを伏目処理して針から開放することで襠３ｂが完成する。なお、伏目処理に関しては本出願人の先願等により公知であり、詳細な説明を省略する。次にステップ４では前ベッドに係止される身頃６のループを全て後ベッドに目移した後、後ベッドを更に左にラッキングして右袖４の接合領域と身頃６の右袖４側の接合領域を対向させ重ね合わせる。続いてステップ５では左袖５と身頃６の接合領域の重ね目を伏目処理して針から開放することで襠３ａが完成し、左右の袖４，５と身頃６が一体化される。ステップ６では続いて、ステップ０からステップ１とは逆に、左右の袖４，５と身頃６が一体化された筒状編地の右側側端ループを前ベッドの空針に目移しする。そして、左側側端ループを後ベッドの空針に目移し、続いて後ベッドを右側に適宜ピッチラッキングする毎に右側側端ループを前ベッドに、左側側端ループを前ベッドに目移しする時計回り方向の回し込み編成を前身頃６ａと後身頃６ｂの境界Ｏ，Ｐが編地の両端に達するまで行う。以後、第１図のステップＤ以降の編成を行ってセーター１が編成される。なお、二つの編地を接合する場合には、上記編成から、ステップ４，５を飛ばしてステップ３からステップ６の編成に移ればよい。また上記した実施例では、身頃６および左右の袖４，５をステップ０からステップ１で反時計回り方向に回転させ、ステップ５からステップ６で袖４，５と身頃６が一体化された筒状編地を時計回り方向に回転させているが、ステップ０からステップ１で身頃６および左右の袖４，５を時計回り方向に回転させ、ステップ５からステップ６で反時計回り方向に回転させてもよい。また上記した実施例では前編地部に形成される襠と後編地部に形成される襠を同じループ数で形成したが、前編地部の襠のループ数と後編地部の襠のループ数を異ならせてもよい。
＜第二実施例＞
次に第二実施例を第５〜１２図を使用して説明する。第二実施例は接合される側の編地を一方の側端側から他端側に向かい伏目処理する編成と、もう一方の筒状編地の接合領域のループを側端のループから前編地部同士、後編地部同士が重なるように接合領域のループを重ねる編成を並行して行う方法である。第二実施例では接合領域のループ同士を重ねる編成と、伏目処理する編成を並行して行い、前編地部の接合領域の接合と、後編地部の接合を独立して行う。
第二実施例では四枚ベッド横編機を使用する場合を説明するが、針抜き編成を行えば二枚ベッド横編機でも編成可能である。第二実施例では、二つの編地を接合する場合と三つの編地を接合する場合で編成が異なり、第５図を使用しそれぞれの編成方法の概略を説明する。第５−ａ図は二つの編地、第５−ｂ図、第５−ｃ図は三つの編地を接合する編成を示す。二つの編地の接合では、第一編地２１の前部分２１ａを第二編地２２の前部分２２ａ側に移動させて行う編成▲２▼と、第二編地２２の後部分２２ｂを第一編地２１の後部分２１ｂ側に移動させる編成▲１▼を行って襠３ａ，３ｂを形成する。編成▲１▼と編成▲２▼は同時に行っても順番に行ってもよい。編成▲１▼と▲２▼を同時に行えばベッドのラッキング回数が少なく済み効率的な編成を行うことが可能となる。編成▲１▼と▲２▼を順番に行えば前編地部と後編地部の襠のループ数を異ならせることができる。この場合にはループ数の多くなった側の編地部の側端ループを反対側の編地部の側端ループの外側に移す回し込み編成を行って前編地部と後編地部のループ数の差を解消しつつ編成すればよい。
三つの編地の接合では第二編地３２の後部分３２ｂを第一編地３１の後部分３１ｂ側に移動させて行う編成▲１▼と、第三編地３３の前部分３３ａを第一編地３１の後部分３１ｂ側に移動させて行う編成▲２▼と、第二編地３２の前部分３２ａを第一編地３１の前部分３１ａ側に移動させて行う編成▲３▼と、第三編地３３の後部分３３ｂを第一編地３１の前部分３１ａ側に移動させて行う編成▲４▼により襠３ａ，３ｂを形成する。編成▲１▼〜▲４▼は▲１▼と▲２▼および▲３▼と▲４▼を並行して行ってもよいし、編成▲１▼〜▲４▼を自由な順番で行うこともできる。編成▲１▼と▲２▼を並行して先に行い、続いて▲３▼と▲４▼を並行して行う場合、或いはその逆に▲３▼と▲４▼を先に行い、続いて▲１▼と▲２▼を行った場合にはベッドのラッキング回数が少なくて済み効率的な編成を行える。また、編成▲１▼〜▲４▼を順番で行えば、各襠のループ数を異ならせることができる。この場合には上記二つの編地を接合する場合と同様に回し込み編成を行って前編地部と後編地部のループ数の差を解消する編成を行う。
以下第６図に示すパンツ４１を編成する場合を例に二つの編地を接合する編成を、第７〜８図の編成コース図を使用して説明する。なお、本実施例では上記第５−ａ図の編成▲１▼と▲２▼を並行して行う場合を説明する。パンツ４１は右足部４２と左足部４３と、胴部分４４からなり、右足部４２と左足部４３の接合箇所に襠４５ａ，４５ｂが形成される。右足部４２は第５−ａ図において左足部４３が第一編地２１に、右足部４２が第二編地２２に対応する。第７図のコース０は襠４５ａ，４５ｂの形成開始前であり白丸で示す右足部４２と黒丸で示す左足部４３が隣接している。鎖線４５ａで囲んだ前下部ベッド上のループが襠４５ａを形成する前編地部の接合領域のループであり、鎖線４５ｂで囲んだループが後下部ベッド上のループが襠４５ｂを形成する後編地部の接合領域のループである。第７〜８図の左端の数字はコース番号を示し、ＦＵは前上部ベッド、ＦＤは前下部ベッド、ＢＤは後下部ベッド、ＢＵは後上部ベッドを意味する。一点鎖線Ｓは襠４５ａ，４５ｂの形成を開始する前の右足部４２と左足部４３の境界を示す。コース１では左前足部４３ａのループを後上部ベッドＢＵに目移しするとともに、右足部４２の左足部４３側側端ループを残して右後足部４２ｂのループを前上部ベッドＦＵに目移しする。コース２では後ベッドを左に１ピッチラッキングし右前足部４２ａの左足部４３側側端ループ４６を後上部ベッドＢＵ上の左前足部４２ａの右足部４２側側端ループ４７と重ねて重ね目４８を形成する。コース３では更に後ベッドを左に１ピッチラッキングし、前記重ね目４８を前下部ベッドＦＤに移して右足部４２の左足部４３側側端ループと重ねて三重ループ４９を形成する。コース４では後ベッドを右に１ピッチラッキングし、後下部ベッドＢＤに係止されていた右後足部４２ｂの左足部４３側側端ループ５０を前上部ベッドＦＵに移して重ね目５１を形成する。そしてコース５では後ベッドを左に１ピッチラッキングし、前記重ね目５１を後下部ベッドに係止されている左後足部４３の右足部４２側側端ループ５２と重ねて三重ループ５３を形成する。コース６では給糸口５４で前記三重ループ４９に給糸して次コースのループ５５を形成し、コース７では別の給糸口５６で前記三重ループ５３に給糸して次コースのループ５７を形成する。
コース８からコース１４ではコース２からコース７と同様の編成を対象となるループを変えて編成する。続いてコース１５からコース１７でコース２からコース４と同様の編成を行う。コース１８では二重ループ５８を左後足部４３ｂの側端ループ５９と重ねて三重ループ６０を形成するとともに前上部ベッドに係止されている右後足部５２ｂのループを後下部ベッドＢＤに、後上部ベッドＢＵに係止されている左後足部４３ｂのループを前下部ベッドＦＤに目移しすることで襠４５ａ，４５ｂが完成する。上記編成により形成された襠４５ａ，４５ｂは、左前足部４３ａを右前足部４２ａのループと重ねることで左側に襠４５ａが、右後足部４２ｂを左後足部４３ｂのループと重ねることで右側に襠４５ｂが形成される。
次に三つの筒状編地を接合して第１図のセーター１に襠３ａ，３ｂを形成する編成を第９〜１２図の編成コース図を使用して説明する。本実施例では上記第５−ｂ図、第５−ｃ図の編成▲１▼と▲２▼を並行して先に行い、続いて▲３▼と▲４▼を並行して行う場合を説明する。コース０は襠３ａ，３ｂの形成開始前の状態を示し、一点鎖線Ｔは襠３ａ，３ｂの形成を開始する前の時点に於ける身頃６と右袖４の境界を、一点鎖線Ｕは身頃６と左袖５の境界を示す。左側の鎖線３ａで囲んだループが襠３ａを形成する接合領域のループであり、右側の鎖線３ｂで囲んだループが襠３ｂを形成するループである。襠３ａ，３ｂの形成を開始するコース１では、右後袖４ｂを前上部ベッドＦＵに移し、同時に左前袖５ａを後上部ベッドＢＵに目移しする。コース２では後身頃６ｂの右袖４側の側端ループ６１を前上部ベッドＢＵに、前身頃６ａの左袖５側の側端ループ６２を後上部ベッドＢＵに目移しする。次にコース３では後ベッドを左に１ピッチラッキングし、前記後身頃６ｂの側端ループ６１を後下部ベッドＢＤに目移しして後身頃６ｂの内側のループに重ねて二重ループ６３を形成する。同時に前記前身頃６ａの側端ループ６２を前下部ベッドＦＤに目移しして前身頃の内側のループに重ねて二重ループ６４を形成する。コース４では後ベッドを左に更に１ピッチラッキングし、右後袖４ｂの身頃側側端ループ６５を後下部ベッドに移して前記二重ループ６３と重ねて三重ループ６６とする。同時に左前袖５ａの身頃側側端ループ６７を前ベッドに目移しして前記二重ループ６４と重ねて三重ループ６８とする。コース５では給糸口６９で前記三重ループ６８に、コース６では給糸口７０で前記三重ループ６６に給糸し次コースのループを形成する。上記コース１〜６では、後身頃６ｂの右袖４から遠ざかる方向の伏目処理と右後袖４ｂと後身頃６ｂを接合する編成と、前身頃６ａの左袖５から遠ざかる方向の伏目処理と左前袖ａと前身頃６ａを接合する編成を並行して行う。以降、この編成を形成する襠３ａ，３ｂの幅に応じて適宜の回数繰り返すことで前身頃６ａと左前袖５ａが接合され、後身頃６ｂと右後袖４ｂが接合された襠３ａ，３ｂが形成される。コース７〜８ではコース２〜３と同様の編成を行い、コース９では前身頃６ａと左前袖５ａの接合と、後身頃６ｂと右後袖４ｂの接合が完了したところで、前上部ベッドＦＵに係止していた右後袖４ｂを後下部ベッドＢＤに移し戻し、同時に後上部ベッドＢＵに係止されていた左前袖５ａを前下部ベッドＦＤに移し戻すことで第５−ｂ図の編成が完了する。コース１０では給糸口６９で前身頃６ａに、コース１１では給糸口７０で後身頃６ｂに給糸し、第５−ｃ図の編成▲３▼▲４▼を行うために給糸口６９，７０をそれぞれ身頃６の反対側に移動させる。
第５−ｃ図の編成を開始するコース１２では、右前袖４ａを後上部ベッドＢＵに移し、同時に左後袖４ｂを前上部ベッドＦＵに目移しする。コース１３では前身頃６ａの右袖４側の側端ループ７１を後上部ベッドＢＵに、後身頃６ｂの左袖５側の側端ループ７２を前上部ベッドＦＵに目移しする。次にコース１４では後ベッドを右に１ピッチラッキングし、前記前身頃６ａの側端ループ７１を前下部ベッドＦＤに目移しして前身頃６ａの内側のループに重ねて二重ループ７３を形成する。同時に前記後身頃６ｂの側端ループ７２を後下部ベッドＢＤに目移しして後身頃６ｂの内側のループに重ねて二重ループ７４を形成する。コース１５では後ベッドを更に１ピッチ右にラッキングし、右前袖４ａの身頃側側端ループ７５を前下部ベッドＦＤに移して前記二重ループ７３と重ねて三重ループ７６とする。同時に左後袖５ｂの身頃側側端ループ７７を後上部ベッドＢＵに目移しして前記二重ループ７４と重ねて三重ループ７８とする。コース１６では給糸口６９で前記三重ループ７８にコース１７では給糸口７０で前記三重ループ７６に給糸し次コースのループを形成する。上記コース１３〜１７では後身頃６ｂの左袖５から遠ざかる方向に伏目処理する編成と左後袖５ｂと後身頃６ｂを接合する編成を並行して行う。同時に前身頃６ａの右袖４から遠ざかる方向に伏目処理する編成と右前袖４ａと前身頃６ａを接合する編成を並行して行う。以降この編成を形成する襠の幅に応じて適宜回数繰り返して前身頃６ａと右前袖を接合し、後身頃６ｂと左後袖５ｂを接合する。コース１８〜２４ではコース１３〜１７と同様の編成を行う。コース２５では前身頃６ａと右前袖４ａの接合と後身頃６ｂと左後袖５ｂの接合が完了したところで、後上部ベッドＢＵに係止されていた右前袖４ａを前下部ベッドＦＤに移し戻し、同時に前上部ベッドＦＵに係止されていた左後袖５ｂを後下部ベッドＢＤに移し戻す。上記編成により襠３ａ，３ｂの形成が完了し、以降図１のステップＤ以降の編成を行うことでセーター１が編成される。上記実施例では、前編地部における接合編成と、後編地部における接合編成を並行して行っているので、前編地部と後編地部のループ数の差が広がることがなく、回し込み編成を行うことなく接合編成が行える。なお、三つの編地を接合する場合でも回し込み編成を行うことで、第５−ｂ図，第５−ｃ図の▲１▼〜▲４▼を独立して行ったり、前編地部と後編地部の襠の幅を異ならせることが可能となる。
＜第三実施例＞
次に第三実施例を第１３図を使用して説明する。第三実施例では接合する筒状編地を回し込み編成により反対方向に回転させ、双方の筒状編地の接合領域のループを同じ針ベッド上に係止させる。その後に接合される側の編地を一方の側端側から他端側に向かい伏目処理する編成と、もう一方の筒状編地の接合領域のループを側端のループから前編地部同士、後編地部同士が重なるように接合領域のループを重ねる編成により接合する方法である。第三実施例では接合領域のループ同士を重ねる編成と、伏目処理する編成を並行して行い、前編地部の接合領域の接合と、後編地部の接合領域の接合を一連に行う実施例である。
第１３図は第３図と同様に前編地部を太線で、後編地部を細線で示し、アルファベットは第１図のセーター１の各ポイントに付したアルファベットに対応する。なお、第三実施例においても二つの編地の接合と三つの編地の接合が可能であるが、以下第一実施例と同じ三つの編地を接合し、第１図のセーター１に襠３ａ，３ｂを形成する場合を説明する。
第三実施例では、襠３ａ，３ｂの形成開始前の状態を示すステップ０からステップ１の状態へと回し込み編成を行う。身頃６を反時計回り方向に回転させ、右袖側の接合領域を前ベッドに、左袖側の接合領域を後ベッドに係止させる。右袖４と左袖５は身頃６と逆方向の時計回り方向に回転させる。第三実施例では身頃６を反時計回り方向に、左右の袖４，５を時計回り方向に回転させるため、左右の袖４，５を回転させる際のラッキング方向と身頃６を回転させる際のラッキング方向が異なり、左右の袖４，５と身頃６を同時に回転させることができない。したがって、左右の袖４，５を回転させる際には身頃６を前後何れか一方のベッドに係止させ、逆に身頃６を回転させる際には左右の袖４，５を前後何れか一方のベッドに係止させる。上記のように左右の袖４，５と身頃６を回転させることで、右袖４の接合領域のループを全て前ベッドに、左袖５の接合領域のループを全て後ベッドに係止させる。同様に右袖側の身頃の接合領域のループを右袖と同じ前ベッドに、左袖側の接合領域のループを左袖と同じ後ベッドに係止させる。続いてステップ２では身頃６と左右の袖４，５を隣接させ、第二実施例の第４−ｃ図と同様に袖４，５と身頃６の接合領域同士が隣接する状態とする。その後、第二実施例のステップ１２以降と同様の編成▲１▼▲２▼を並行して行い左右の袖４，５の接合領域と身頃の接合領域を接合し襠３ａ，３ｂを形成する。襠３ａ、３ｂの形成が完了した状態ではステップ３に示すように左右の袖４，５と身頃６が接合された筒状編地が時計回り方向に回転された状態となっている。ステップ４では回し込み編成を行うことで、筒状編地を反時計回り方向に回転させ、前編地部と後編地部の境界Ｏ，Ｐが編地の両端となるまで回転させる。以降、第１図のステップＤ以降の編成を行いセーター１を編成する。なお、第三実施例においても回し込み編成を接合編成と並行して行うことでステップ２の編成▲１▼と▲２▼を順番に行うこともできる。また、第三実施例の方法により二つの編地を接合する場合には、前記回し込み編成を接合編成と並行して行う。第三実施例においても前編地部と後編地部に形成される襠３ａ，３ｂのループ数を異ならせることも可能である。
上記した第一から第三実施例の方法により筒状編地を接合することにより、接合する筒状編地の側端に位置する適宜数のウエールからなる接合領域のループと他方の筒状編地の接合領域のループが、前編地部と後編地部の境界から近い側のループ同士および遠い側のループ同士を重ねた状態で伏目処理した襠が形成される。このような襠が形成された編地では第１４図に示すように、袖４，５を身頃６に対し襠３ａ，３ｂを中心に袖４，５と身頃６間の間隔が広がる方向に回転させた場合に、袖４、５を身頃６に対し従来の接合方法に比べ大きな角度まで回転させることが可能である。したがって着用者の身体の動きに対する自由度が高く、着心地のよいニットウエアとなる。
また、前編地部と後編地部の襠の幅を異ならせた場合には、前編地部と後編地部の周長が異なる立体的なシルエットとなり、体型に沿った着心地のよいニットウエアとすることができる。
なお、上記実施例は実施の一例を示したものであり、編成順序や給糸口の取り回しなど当業者が通常有する知識に基づき変更可能な点について限定するものではない。
産業上の利用可能性
上記の接合方法により筒状編地を接合することで、接合される筒状編地の最終コースのループともう一方の筒状編地の接合領域の最終コースのループが前編地部と後編地部の境界から近い側のループ同士および遠い側のループ同士が重なるように重ね合わされる。それにより一方の筒状編地を他方の筒状編地に対し、襠を中心に両編地間の間隔が広がる方向に従来よりも大きな角度まで回転させることが可能となり、着用者の身体の動きに対する自由度が高く、着心地のよいニットウエアとなる。
【図面の簡単な説明】
第１図は襠が形成されたセーターの展開図および編成工程図である。第２図は第１図のセーター１の完成図である。第３図は第一実施例のセーターに襠部を形成する編成ステップ図である。第４図は回し込み編成を示す図である。第５−ａ図は第二実施例のパンツに襠を形成する編成ステップ図であり、第５−ｂ図および第５−ｃ図は第二実施例のセーターに襠を形成する編成ステップ図である。第６図は第二実施例において二つの編地を接合して形成されるパンツを示す図である。第７図は第二実施例による二つの編地の接合を示す編成コース図である。第８図は第二実施例による二つの編地の接合を示す編成コース図である。第９図は第二実施例による三つの編地の接合を示す編成コース図である。第１０図は第二実施例による三つの編地の接合を示す編成コース図である。第１１図は第二実施例による三つの編地の接合を示す編成コース図である。第１２図は第二実施例による三つの編地の接合を示す編成コース図である。第１３図は第三実施例のセーターに襠を形成する編成ステップ図である。第１４図は本発明の襠が形成されたセーターにおける袖の上限位置を示す図である。第１５図は従来の襠が形成されたセーターの展開図および編成工程図である。第１６図は従来の襠形成方法により襠が形成されたセーターにおける袖の上限位置を示す図である。
【図１】
0003887408.tif 000002
【図２】
0003887408.tif 000003
【図３】
0003887408.tif 000004
【図４】
0003887408.tif 000005
【図５】
0003887408.tif 000006
【図６】
0003887408.tif 000007
【図７】
0003887408.tif 000008
【図８】
0003887408.tif 000009
【図９】
0003887408.tif 000010
【図１０】
0003887408.tif 000011
【図１１】
0003887408.tif 000012
【図１２】
0003887408.tif 000013
【図１３】
0003887408.tif 000014
【図１４】
0003887408.tif 000015
【図１５】
0003887408.tif 000016
【図１６】
0003887408.tif 000017